(57)【要約】【課題】同じ画像を表示し続ける場合に、消費電力を低減することができる画像表示装置、画像表示システム、画像表示方法およびプログラムを提供する。【解決手段】本発明に係る画像表示装置は、外部から時系列に入力された画像データを投影用の投影データに変換し、変換した投影データを投影面に出力する。画像表示装置は、画像出力部の階調を制御する階調制御部を制御するための制御信号を出力し、表示する画像に対応した制御信号を記憶する。そして、画像表示装置は、入力された第１画像データと第１画像データより前に入力された第２画像データとが同じであるか否かを判断する。画像表示装置は、第１画像データと第２画像データとが同じであると判断した場合、第２画像データに対応する制御信号を信号記憶部から読み出して階調制御部に入力し、光源部と階調制御部と信号記憶部と画像出力部とに対して電力を供給すると共に、上記各部を除いた画像表示装置各部に対して電力の供給を遮断する。【選択図】図２
2016053683.tif 000002
【特許請求の範囲】
【請求項１】
時系列に入力された画像データを投影用の投影データに変換する画像処理部と、
光源部からの光を前記投影データに応じた画像となるように投影面に出力する画像出力部と、
前記画像出力部の階調を制御する階調制御部と、
前記階調制御部を制御するための制御信号を出力する信号制御部と、
前記画像データに対応した前記制御信号を記憶する信号記憶部と、
前記画像データのうち入力された第１画像データと前記第１画像データより前に入力された第２画像データとが同じであるか否かを判断する判断部と、
前記第１画像データと前記第２画像データとが同じであると判断された場合、前記第２画像データに対応する前記制御信号を前記信号記憶部から読み出して前記階調制御部に入力し、前記第１画像データと前記第２画像データとが同じでないと判断された場合、前記信号制御部から出力された前記制御信号を前記階調制御部に入力する切替部と、
前記第１画像データと前記第２画像データとが同じであると判断された場合、前記光源部と前記画像出力部と前記階調制御部と前記信号記憶部とに対して電力を供給し、前記第１画像データと前記第２画像データとが同じでないと判断された場合、画像表示装置各部に対して電力を供給する電力制御部と、を備える、
ことを特徴とする画像表示装置。
【請求項２】
前記第１画像データと前記第２画像データとが同じであると判断された場合、
前記電力制御部は、前記光源部、前記画像出力部、前記階調制御部及び前記信号記憶部を除いた前記画像表示装置各部に対して電力の供給を遮断する、
請求項１に記載の画像表示装置。
【請求項３】
時間を計測する計測部をさらに有し、
前記第１画像データと前記第２画像データとが同じであると判断された場合、
前記計測部は、経過時間の計測を開始し、
前記電力制御部は、前記計測部で計測した経過時間が予め設定された所定時間経過した後に、電力の供給を遮断した前記画像表示装置各部に対して電力の供給を行い、
前記判断部は、前記第１画像データと前記第２画像データとが同じであるか否かを判断する、
請求項２に記載の画像表示装置。
【請求項４】
現在表示されている画像を継続して表示させる継続信号の入力を受け付ける受付部をさらに備え、
前記判断部は、前記継続信号の入力があったか否かを判断し、
前記切替部は、前記継続信号の入力があったと判断された場合、前記第２画像データに対応する前記制御信号を前記信号記憶部から読み出して前記階調制御部に入力し、前記継続信号の入力がないと判断された場合、前記信号制御部から出力された前記制御信号を前記階調制御部に入力し、
前記電力制御部は、前記継続信号の入力があったと判断された場合、前記光源部と前記階調制御部と前記信号記憶部と前記画像出力部とに対して電力を供給すると共に、前記光源部、前記階調制御部、前記信号記憶部及び前記画像出力部を除いた前記画像表示装置各部に対して電力の供給を遮断し、前記継続信号の入力がないと判断された場合、前記画像表示装置各部に対して電力を供給する、
請求項１から３の何れか１項に記載の画像表示装置。
【請求項５】
時系列に入力された画像データを投影用の投影データに変換する画像処理部と、
光源部からの光を前記投影データに応じた画像となるように投影面に出力する画像出力部と、
前記画像出力部の階調を制御する階調制御部と、
前記階調制御部を制御するための制御信号を出力する信号制御部と、
前記画像データに対応した前記制御信号を記憶する信号記憶部と、
前記画像データのうち入力された第１画像データと前記第１画像データより前に入力された第２画像データとが同じであるか否かを判断する判断部と、
前記第１画像データと前記第２画像データとが同じであると判断された場合、前記第２画像データに対応する前記制御信号を前記信号記憶部から読み出して前記階調制御部に入力し、前記第１画像データと前記第２画像データとが同じでないと判断された場合、前記信号制御部から出力された前記制御信号を前記階調制御部に入力する切替部と、
前記第１画像データと前記第２画像データとが同じであると判断された場合、前記光源部と前記画像出力部と前記階調制御部と前記信号記憶部とに対して電力を供給し、前記第１画像データと前記第２画像データとが同じでないと判断された場合、画像表示装置各部に対して電力を供給する電力制御部と、を備える、
ことを特徴とする画像表示システム。
【請求項６】
時系列に画像データを出力する画像データ出力部と、
前記画像データのうち出力する第１画像データと前記第１画像データより前に出力された第２画像データとが同じである場合、現在表示されている画像を継続して表示させる継続信号を出力する継続信号出力部と、
前記画像データと、前記継続信号とを切り替えて出力する出力切替部と、
前記継続信号の入力を受け付ける受付部と、をさらに備え、
前記判断部は、前記継続信号の入力があったか否かを判断し、
前記切替部は、前記継続信号の入力があったと判断された場合、前記第２画像データに対応する前記制御信号を前記信号記憶部から読み出して前記階調制御部に入力し、前記継続信号の入力がないと判断された場合、前記信号制御部から出力された前記制御信号を前記階調制御部に入力し、
前記電力制御部は、前記継続信号の入力があったと判断された場合、前記光源部と前記階調制御部と前記信号記憶部と前記画像出力部とに対して電力を供給すると共に、前記光源部、前記階調制御部、前記信号記憶部及び前記画像出力部を除いた前記画像表示装置各部に対して電力の供給を遮断し、前記継続信号の入力がないと判断された場合、前記画像表示装置各部に対して電力を供給する、
請求項５に記載の画像表示システム。
【請求項７】
光源部と画像出力部と階調制御部と信号記憶部とを備える画像表示装置に実行させる画像表示方法であって、
時系列に入力された画像データを投影用の投影データに変換する画像処理ステップと、
前記画像出力部が、前記光源部からの光を前記投影データに応じた画像となるように投影面に出力する画像出力ステップと、
前記階調制御部が、前記画像出力部の階調を制御する階調制御ステップと、
前記階調制御部を制御するための制御信号を出力する信号制御ステップと、
前記信号記憶部が、前記画像データに対応した前記制御信号を記憶する信号記憶ステップと、
前記画像データのうち入力された第１画像データと前記第１画像データより前に入力された第２画像データとが同じであるか否かを判断する判断ステップと、
前記第１画像データと前記第２画像データとが同じであると判断された場合、前記第２画像データに対応する前記制御信号を前記信号記憶部から読み出して前記階調制御部に入力し、前記第１画像データと前記第２画像データとが同じでないと判断された場合、前記信号制御ステップで出力された前記制御信号を前記階調制御部に入力する切替ステップと、
前記第１画像データと前記第２画像データとが同じであると判断された場合、前記光源部と前記画像出力部と前記階調制御部と前記信号記憶部とに対して電力を供給し、前記第１画像データと前記第２画像データとが同じでないと判断された場合、前記画像表示装置各部に対して電力を供給する電力制御ステップと、を含む、
ことを特徴とする画像表示方法。
【請求項８】
画像表示装置に、請求項７に記載の画像表示方法を実行させるためのプログラム。
【発明の詳細な説明】
【技術分野】
【０００１】
本発明は、画像表示装置、画像表示システム、画像表示方法およびプログラムに関する。
【背景技術】
【０００２】
画像表示装置などの電子機器は、予め設定された動作モードに応じて、機器内部の電力状態を制御し、動作モード毎に機器内部の供給電力及びデバイスの動作を制御（スリープモード等）して消費電力を削減する技術が知られている。
【０００３】
特許文献１には、高画質化に伴う高速な画像データ転送に対応して、消費電力及びコストを抑えた画像投影装置が開示されている。特許文献１に記載の画像投影装置は、フレームメモリに格納されている画像データを制御用ＩＣで読み出して、投影用ミラーに対する制御パターンを生成するにあたり、使用するフレームメモリの量を従来よりも少ないメモリ量で投影用ミラーにデータ転送を行うことで消費電力を削減するものである。
【発明の概要】
【発明が解決しようとする課題】
【０００４】
しかしながら、特許文献１に記載の画像投影装置では、同じ画像を表示し続ける場合でも、画像を形成するためのフレームメモリ、メモリからデータを取得して投影デバイスの制御を行う制御用ＩＣ、及び制御信号出力部分への電力供給は必須であり、更に消費電力を削減することができないという問題があった。
【０００５】
本発明は、上記に鑑みてなされたものであって、同じ画像を表示し続ける場合に、消費電力を低減することができる画像表示装置、画像表示システム、画像表示方法およびプログラムを提供することを目的とする。
【課題を解決するための手段】
【０００６】
上述した課題を解決し、目的を達成するために、本発明に係る画像表示装置は、時系列に入力された画像データを投影用の投影データに変換する画像処理部と、光源部からの光を前記投影データに応じた画像となるように投影面に出力する画像出力部と、前記画像出力部の階調を制御する階調制御部と、前記階調制御部を制御するための制御信号を出力する信号制御部と、前記画像データに対応した前記制御信号を記憶する信号記憶部と、前記画像データのうち入力された第１画像データと前記第１画像データより前に入力された第２画像データとが同じであるか否かを判断する判断部と、前記第１画像データと前記第２画像データとが同じであると判断された場合、前記第２画像データに対応する前記制御信号を前記信号記憶部から読み出して前記階調制御部に入力し、前記第１画像データと前記第２画像データとが同じでないと判断された場合、前記信号制御部から出力された前記制御信号を前記階調制御部に入力する切替部と、前記第１画像データと前記第２画像データとが同じであると判断された場合、前記光源部と前記画像出力部と前記階調制御部と前記信号記憶部とに対して電力を供給し、前記第１画像データと前記第２画像データとが同じでないと判断された場合、画像表示装置各部に対して電力を供給する電力制御部と、を備える、ことを特徴とする。
【発明の効果】
【０００７】
本発明によれば、同じ画像を表示し続ける場合に、消費電力を低減することができる、という有利な効果を奏する。
【図面の簡単な説明】
【０００８】
【図１】図１は、本実施形態に係る画像表示システムの全体システム構成の一例を示す図である。
【図２】図２は、本実施形態に係る画像表示装置の全体構成の一例を示す図である。
【図３】図３は、本実施形態に係る画像表示装置のハードウェア構成の一例を示す図である。
【図４】図４は、本実施形態に係る画像表示装置の信号パターン記憶回路について説明する図である。
【図５】図５は、本実施形態に係る画像出力装置のハードウェア構成の一例を示す図である。
【図６】図６は、本実施形態に係る画像表示装置及び画像出力装置の機能的構成の一例を示すブロック図である。
【図７】図７は、本実施形態に係る画像出力装置の機能構成の一例について説明する図である。
【図８】図８は、本実施形態に係る画像表示装置の処理動作の一例を示すフローチャート図である。
【発明を実施するための形態】
【０００９】
以下、添付図面を参照しながら、本発明に係る画像表示装置、画像表示システム、画像表示方法およびプログラムの一実施形態を詳細に説明する。
【００１０】
本実施形態の画像表示装置は、外部から時系列に入力された画像データを投影用の投影データに変換し、変換した投影データを投影面に出力する。画像表示装置は、画像出力部の階調を制御する階調制御部を制御するための制御信号を出力し、表示する画像データに対応した制御信号を記憶する。そして、画像表示装置は、入力された第１画像データと第１画像データより前に入力された第２画像データとが同じであるか否かを判断する。画像表示装置は、第１画像データと第２画像データとが同じであると判断した場合、第２画像データに対応する制御信号を信号記憶部から読み出して階調制御部に入力し、光源部と階調制御部と信号記憶部と画像出力部とに対して電力を供給すると共に、上記各部を除いた画像表示装置各部に対して電力の供給を遮断する。これにより、画像表示装置は、同じ画像を表示し続ける場合に、消費電力を低減することができる。
【００１１】
以下では、本実施形態の画像表示装置を、画像表示装置と、画像出力装置（情報処理装置）とを備えた画像表示システムの一部の装置として実現する例を説明する。なお、本実施形態の画像表示装置の一例として、プロジェクタに適用した例を挙げて説明するがこれに限られるものではなく、本発明が適用される画像表示装置の種類は任意であり、例えば、液晶表示パネルに画像を表示する液晶モニターまたは液晶テレビ、ＰＤＰ（プラズマディスプレイパネル）に画像を表示するモニター装置またはテレビ受像機、ＯＬＥＤ（Ｏｒｇａｎｉｃ  Ｌｉｇｈｔ−Ｅｍｉｔｔｉｎｇ−Ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像を表示するモニター装置またはテレビ受像機等の自発光型の表示装置などであってもよい。また、複数の入力を表示可能な表示装置、ペンデバイスや指などでの指示により描画が可能な表示装置であってもよい。
【００１２】
まず、図１を用いて、画像表示システム１の全体システム構成例と画像表示システム１の概要について説明する。図１は、本実施形態に係る画像表示システムの全体システム構成の一例を示す図である。本実施形態の画像表示システム１は、図１に示すように、画像表示装置１０と、画像出力装置２０とを備える。
【００１３】
画像表示装置１０は、例えば、スクリーン等の投影面４０に投影画像を投影するプロジェクタである。画像出力装置２０は、例えば、投影面４０に投影する画像データを生成して画像表示装置１０に画像データを出力する情報処理装置（ＰＣ：Ｐｅｒｓｏｎａｌ  Ｃｏｍｐｕｔｅｒ）等である。なお、以下では「画像表示装置」を「プロジェクタ」とも表記し、「画像出力装置」を「情報処理装置」とも表記することがある。
【００１４】
上記の各装置は、ケーブルや各種無線通信等により接続されている。例えば、図１では、画像表示装置１０と画像出力装置２０とが有線接続（例えば、映像ケーブル３０、ＵＳＢ有線ケーブルなど）されている一例を示している。映像ケーブル３０としては、例えば、Ｄ−ＳＵＢケーブル、ＨＤＭＩ（登録商標）ケーブル等である。また、無線通信としては、例えば、Ｗｉｒｅｌｅｓｓ  ＵＳＢ等である。
【００１５】
画像表示装置１０は、例えば、映像ケーブル３０を介して画像出力装置２０の表示画面（ディスプレイ）映像を必要に応じて任意に画像処理して投影面４０に対して投影する。
【００１６】
図１では、画像表示装置１０と接続される画像出力装置（情報処理装置）２０の台数が１台である場合を例示しているが、これに限らず、画像出力装置（情報処理装置）２０の台数は任意である。また、画像表示装置１０の台数が１台である場合を示しているが、これに限らず、画像表示装置１０の台数は任意である。
【００１７】
次に、図２及び図３を用いて、画像表示装置１０の全体構成例及びハードウェア構成例の概要について説明する。図２は、本実施形態に係る画像表示装置の全体構成の一例を示す図である。図３は、本実施形態に係る画像表示装置のハードウェア構成の一例を示す図である。
【００１８】
図２及び図３に示すように、画像表示装置１０は、光源１４１と、プリズム１４２と、投影用ミラーデバイス（Ｒ）１０９、（Ｇ）１１０、（Ｂ）１１１と、プリズム１４３と、投影用レンズ１４４と、Ｉ／Ｆ１０１と、画像処理回路１０２と、メモリ１０３と、出力画像制御回路１０４と、フレームメモリ１０５と、ミラーデバイス制御部１０６、１０７、１０８と、電力制御回路１１２と、階調制御回路１１５と、信号パターン記憶回路１１６とを主な構成として備える。
【００１９】
なお、図２において画像表示装置１０が画像データを投影するスクリーン（投影面）４０も併せて示している。また、図３の例では、ミラーデバイス制御部１０６と投影用ミラーデバイス１０９とが３原色のＲ（Ｒｅｄ）に対応した出力制御部１３を構成し、ミラーデバイス制御部１０７と投影用ミラーデバイス１１０とが３原色のＧ（Ｇｒｅｅｎ）に対応した出力制御部１４を構成し、ミラーデバイス制御部１０８と投影用ミラーデバイス１１１とが３原色のＢ（Ｂｌｕｅ）に対応した出力制御部１５を構成している一例を示している。
【００２０】
光源１４１は、画像データを変換した投影用の投影データを投影面４０に投影するための光を生成する。光源１４１は、例えば、水銀ランプなどである。なお、光源１４１は、請求項の「光源部」に対応する。
【００２１】
プリズム１４２は、光源１４１からの光をプリズム１４２によって、Ｒ（Ｒｅｄ）、Ｇ（Ｇｒｅｅｎ）、Ｂ（Ｂｌｕｅ）の３原色に分離して、各投影用ミラーデバイス（Ｒ）１０９、（Ｇ）１１０、（Ｂ）１１１に出射する。
【００２２】
投影用ミラーデバイス（Ｒ）１０９、（Ｇ）１１０、（Ｂ）１１１は、例えば、１ピクセルの画像情報に対応する１つのマイクロミラーデバイスを、表示領域分だけアレイ状に複数個配列したものである。本実施形態としては、アレイ状に複数個配列したミラーデバイスがＲ、Ｇ、Ｂの光源１４１に対して、例えば、一枚ずつ存在する。以下、投影用ミラーデバイス（Ｒ）１０９、（Ｇ）１１０、（Ｂ）１１１を区別する必要がない場合には、単に「投影用ミラーデバイス」と表記する。投影用ミラーデバイス（Ｒ）１０９、（Ｇ）１１０、（Ｂ）１１１は、光源１４１からの光を、画像処理回路１０２で変換した投影用の投影データ（画像データ）に応じた画像となるように、それぞれ反射させて、投影用の画像を出力する。また、投影用ミラーデバイス１０９ａ〜１０９ｄは、出力画像制御回路１０４からの制御信号によって、画像処理回路１０２で画像処理された投影データを画像として投影する。具体的には、投影用ミラーデバイス１０９ａ〜１０９ｄは、出力画像制御回路１０４からのミラー角度を制御する制御信号１１８、及び階調を制御する制御信号１１９によって、画像処理回路１０２で画像処理された投影用の投影データ（画像データ）に応じた画像となる形で、光源１４１からの光をそれぞれ反射させ、投影用の画像を出力する。投影用ミラーデバイス（Ｒ）１０９、（Ｇ）１１０、（Ｂ）１１１は、後述する出力画像制御回路１０４、階調制御回路１１５及び角度制御回路１１７のそれぞれの制御によって画像を出力する。
【００２３】
プリズム１４３は、３原色に対応した投影用ミラーデバイス（Ｒ）１０９、（Ｇ）１１０、（Ｂ）１１１で反射させた光源１４１からの光を再びプリズム１４３によって集光して投影用レンズ１４４に出射する。
【００２４】
投影用レンズ１４４は、投影用ミラーデバイス（Ｒ）１０９、（Ｇ）１１０、（Ｂ）１１１からの反射光をプリズム１４３によって集光された光をスクリーン（投影面）４０に投射するためのレンズである。
【００２５】
Ｉ／Ｆ１０１は、例えば、画像出力装置（情報処理装置）２０との間で各種情報を入出力するためのインタフェースである。Ｉ／Ｆ１０１を介して、例えば、図１で示した画像表示装置（プロジェクタ）１０と画像出力装置（情報処理装置）２０とが接続される。そして画像表示装置１０と画像出力装置２０との間で、画像データや音声データを含む各種情報の入出力（送受信）を行う。Ｉ／Ｆ１０１は、例えば、画像データや画像データの制御情報等の送受信を行うための映像ポート、音声データや音声データの制御情報等の送受信を行うための音声ポート、ＵＳＢ（Ｕｎｉｖｅｒｓａｌ  Ｓｅｒｉａｌ  Ｂｕｓ）端子と接続された、例えば、外部の電子機器と各種情報を送受信するためのＵＳＢポート、ＬＡＮ接続された、例えば、電子機器と各種情報を送受信するためのＬＡＮポートなどを有する。なお、Ｉ／Ｆ１０１は、請求項の「画像入力部」、「受付部」に対応する。
【００２６】
画像処理回路１０２は、外部から時系列に入力された画像データを投影用の投影データ（画像データ）に変換する処理を行う。具体的には、画像処理回路１０２は、例えば、外部からＩ／Ｆ１０１を介して時系列に入力された（受け付けた）画像データに対して出力画像制御回路１０４が適切に扱えるよう各種処理を行う。すなわち、画像処理回路１０２は、入力された画像データに対して画像処理（データ処理）を行って、投影用の投影データ（画像データ）に変換する処理を行う。画像処理回路１０２は、入力された画像データに対して各種処理を行った後、この処理後の画像データ（投影データ）１１及び制御信号１２を出力画像制御回路１０４及びフレームメモリ１０５に対して出力する。また、画像処理回路１０２は、Ｉ／Ｆ１０１から入力された第１画像データと第１画像データより前に入力された第２画像データとが同じであるか否かを判断する。また、画像処理回路１０２は、後述する受付部１３０で現在表示されている画像を継続して表示させる継続信号の入力があったか否かを判断する。画像処理回路１０２は、上記の判断した結果の信号を出力画像制御回路１０４、電力制御回路１１２に対して出力する。なお、画像処理回路１０２は、請求項の「画像処理部」、「判断部」に対応する。
【００２７】
メモリ１０３は、画像処理を実行するために必要な記憶領域やデータ格納領域などを有するメモリである。具体的には、メモリ１０３は、画像処理回路１０２によって実行される、例えば、画像処理や各種プログラムなどを展開するためのプログラム格納領域や、各種入出力データや各種プログラムの実行結果などを格納するデータ格納領域などを備える揮発性の半導体メモリ（記憶装置）である。
【００２８】
出力画像制御回路１０４は、画像処理回路１０２で画像処理された投影データ（画像データ）が画像として投影されるように投影用ミラーデバイス１０９、１１０、１１１の制御を行う。投影用ミラーデバイス１０９、１１０、１１１の制御としては、ミラー角度の制御、及び階調の制御がある。具体的には、出力画像制御回路１０４は、フレームメモリ１０５の情報に基づいて、投影用ミラーデバイス１０９、１１０、１１１の各マイクロミラーによる反射光量（階調）及び投影用ミラーデバイス１０９、１１０、１１１の各マイクロミラーの角度を制御する。すなわち、出力画像制御回路１０４は、投影用ミラーデバイス１０９、１１０、１１１の各マイクロミラーによる反射光量（階調）及び投影用ミラーデバイス１０９、１１０、１１１の各マイクロミラーの角度を制御するための制御信号を、後述する角度制御部１２５、及び階調制御部１２６に対して出力する。出力画像制御回路１０４は、フレームメモリ１０５が記憶している画像データ（投影データ）を読み込んで、投影用ミラーデバイス１０９、１１０、１１１の角度を制御する制御信号１１８、及び投影用ミラーデバイス１０９、１１０、１１１の階調を制御する制御信号１１９を生成して出力する。
【００２９】
また、出力画像制御回路１０４は、画像処理回路１０２で判断した結果の信号に基づいて、制御信号を角度制御回路１１７及び階調制御回路１１５に対して出力する。また、出力画像制御回路１０４は、画像処理回路１０２で判断した結果の信号に基づいて、制御信号を切り替える信号をミラーデバイス制御部１０６に対して出力する。なお、図３の例では、投影用ミラーデバイス１０９、１１０、１１１は、３原色に対応したＲ、Ｇ、Ｂの各色に各々対応する構成である。なお、出力画像制御回路１０４は、請求項の「信号制御部」に対応し、投影用ミラーデバイスは、請求項の「画像出力部」に対応する。
【００３０】
フレームメモリ１０５は、表示する画像データ（投影データ）を保持する記憶装置である。具体的には、フレームメモリ１０５は、画像処理回路１０２で画像処理された画像データ（投影データ）を記憶する揮発性の半導体メモリ（記憶装置）である。
【００３１】
ミラーデバイス制御部１０６、１０７、１０８は、階調制御回路１１５と角度制御回路１１７とで構成されている。
【００３２】
画像表示装置１０は、例えば、画像を表示（投影）する場合、ミラーにあてる光の色（Ｒ、Ｇ、Ｂ）と、投影用ミラーデバイス１０９、１１０、１１１のミラーの方向（角度）と、ミラーの反射の階調とを制御する制御信号の信号パターンを出力する必要があるが、本実施形態では、同じ画像を継続して表示し続ける場合に、ミラーの方向（角度）制御が不要となる。すなわち、同じ画像を継続して表示し続ける場合に、投影用ミラーデバイス１０９、１１０、１１１の角度の制御は光源の色（ＲＧＢ）ごとに一度実施するだけで常に同じミラー角度を維持し、ミラーの反射の階調を制御し続けるために、後述する信号パターン記憶回路１１６に記憶されている、表示する同じ画像に対応した信号パターンを読み出して階調制御回路１１５に繰り返して入力することで、投影用ミラーデバイス１０９、１１０、１１１は、常に同じ階調を維持するようにＯＮ／ＯＦＦさせることができる。
【００３３】
階調制御回路１１５は、出力画像制御回路１０４からの制御信号１１９に基づいて、投影用ミラーデバイス１０９、１１０、１１１の各マイクロミラーによる反射光量（階調）の制御を行う。また、階調制御回路１１５は、信号パターン記憶回路１１６を含んでいる。階調制御回路１１５は、例えば、階調制御回路１１５ａ〜１１５ｄと、信号パターン記憶回路１１６ａ〜１１６ｄとを有している。
【００３４】
図３の例では、階調制御回路１１５ａと信号パターン記憶回路１１６ａとが投影用ミラーデバイス１０９ａの階調の制御を行い、階調制御回路１１５ｂと信号パターン記憶回路１１６ｂとが投影用ミラーデバイス１０９ｂの階調の制御を行い、階調制御回路１１５ｃと信号パターン記憶回路１１６ｃとが投影用ミラーデバイス１０９ｃの階調の制御を行い、階調制御回路１１５ｄと信号パターン記憶回路１１６ｄとが投影用ミラーデバイス１０９ｄの階調の制御を行う構成の一例を示している。
【００３５】
なお、ミラーデバイス制御部１０７、１０８及び投影用ミラーデバイス１１０、１１１の構成は、上記又は後述で説明したものと同様であるので詳細な説明は省略する。なお、階調制御回路１１５は、請求項の「階調制御部」に対応する。
【００３６】
信号パターン記憶回路１１６は、入力された画像データ（投影データ）を表示させるための制御信号を記憶する。具体的には、信号パターン記憶回路１１６は、投影面４０に表示する画像に対応した階調を制御するための制御信号を記憶する。すなわち、信号パターン記憶回路１１６は、予め設定した一定期間の信号パターンを記憶する。そして、入力された第１画像データと第１画像データより前に入力された第２画像データとが同じである場合、信号パターン記憶回路１１６は、第２画像データに対応する制御信号を信号記憶部１２８から読み出して階調制御部１２６に入力することで、同じ画像を継続して表示し続けることができる。なお、信号パターン記憶回路１１６は、請求項の「信号記憶部」に対応する。
【００３７】
ここで、図４を用いて、信号パターン記憶回路１１６について説明する。図４は、信号パターン記憶回路について説明する図である。図４に示すように、ミラーデバイス制御部１０６では、階調制御回路１１５に対して、出力画像制御回路１０４から出力された制御信号と信号パターン記憶回路１１６で記憶した制御信号とを切り替えて入力するスイッチ（切替部１３２）１１３を有する構成となっている。投影用ミラーデバイス１０９は、一定の周期でＯＮ／ＯＦＦを繰り返し、ＯＮ／ＯＦＦ時間の比によって階調が決定される。例えば、１つの画像が８ｂｉｔデータとした場合、１つの画像を表示するための階調を制御するための制御信号の信号パターンは、８ｂｉｔデータ期間の信号パターンである。同じ画像（例えば、静止画像）を継続して表示し続ける場合、階調を制御する制御信号の信号パターンは、同じ波形パターンが繰り返されることになる。そこで、信号パターン記憶回路１１６では、例えば、８ｂｉｔデータ期間の信号パターンを記憶して、記憶した信号パターンを繰り返して階調制御部１２６に入力することで、同じ画像（例えば、静止画像）を継続して表示し続けることができる。すなわち、信号パターン記憶回路１１６は、１つの画像を表示するための階調の制御信号を繰り返し入力する遅延回路としての機能を有することにより、同じ画像を継続して表示し続けることが可能となる。
【００３８】
より詳細に説明すると、例えば、画像を表示（投影）するにあたり、投影用ミラーデバイスの反射の階調（グレースケール）を制御する制御信号の信号パターンが必要となるが、例えば、投影用ミラーデバイス１０９の各階調制御回路１１５ａ〜１１５ｄに信号パターン記憶回路１１６ａ〜１１６ｄを設けて、同じ信号パターンで固定のグレースケール設定した制御であれば、ミラーデバイス制御部１０６の階調制御回路１１５及び信号パターン記憶回路１１６のみに電力が供給されれば、常に決まったグレースケース設定の制御が可能となる。これによって、フレームメモリ１０５、フレームメモリ１０５に記憶されている画像データに対応した投影用ミラーデバイス１０９を制御する信号パターンを生成する出力画像制御回路１０４及び角度制御回路１１７の制御を不要に（電力の供給を遮断）することができる。
【００３９】
なお、出力画像制御回路１０４から出力された制御信号と信号パターン記憶回路１１６で記憶した制御信号との切り替えは、画像処理回路１０２からの制御信号により制御される。なお、図４に示した信号パターン記憶回路１１６は一例であり、これに限ることはなく、同等の機能を有する回路であればよい。
【００４０】
図２及び図３に戻って説明を続ける。角度制御回路１１７は、出力画像制御回路１０４からの制御信号１１８に基づいて、投影用ミラーデバイス１０９、１１０、１１１のミラー角度の制御を行う。例えば、画像を表示（投影）するにあたり、投影用ミラーデバイス１０９、１１０、１１１のミラーの方向を制御する制御信号の信号パターンを出力する必要があるが、本実施形態では、同じ画像を継続して表示し続ける場合には、投影用ミラーデバイス１０９、１１０、１１１の角度の制御は光源の色（ＲＧＢ）ごとに一度実施するだけでよい。なお、投影用ミラーデバイス１０９、１１０、１１１の角度の制御方法については従来技術を適用することができ任意である。
【００４１】
電力制御回路１１２は、画像表示装置１０各部に対して供給する電力の制御を行う。具体的には、電力制御回路１１２は、例えば、画像データ（投影データ）を投影面４０に表示するために必要な画像表示装置１０各部の制御回路に対して電力の供給を行う。また、画像データ（投影データ）を投影面４０に表示するために不要な画像表示装置１０各部の制御回路に対して電力の供給を一時的に遮断する。また、電力制御回路（計測部１３３）１１２は、画像処理回路１０２からの信号に基づいて、経過時間の計測を開始し、計測した経過時間が予め設定された所定時間経過した後に電力制御回路（電力制御部１２９）１１２に対して信号を出力する。なお、電力制御回路１１２は、請求項の「電力制御部」、「計測部」に対応する。
【００４２】
このように、本実施形態の画像表示装置１０は、同じ画像を表示し続ける場合に、投影用ミラーデバイス１０９、１１０、１１１を制御する出力画像制御回路１０４、表示する画像データ（投影データ）を記憶するフレームメモリ１０５及び角度制御回路１１７に対する電力の供給を遮断しても、投影用ミラーデバイス１０９、１１０、１１１の制御を可能とすることによって、消費電力を削減した状態においても同じ画像を表示し続けることができる。すなわち、画像表示装置１０は、光源１４１と、投影用ミラーデバイス１０９、１１０、１１１と、ミラーデバイス制御部１０６、１０７、１０８の各階調制御回路及び各信号パターン記憶回路とに対して電力の供給を行うことで、同じ画像を表示し続けることができるものである。
【００４３】
次に、図５を用いて、画像出力装置（情報処理装置）２０のハードウェア構成について説明する。図５は、画像出力装置のハードウェア構成の一例を示す図である。
【００４４】
図５に示すように、画像出力装置２０は、システムバス５０に接続された、入力装置２１と、表示装置２２と、ドライブ装置２３と、ＲＡＭ（Ｒａｎｄｏｍ  Ａｃｃｅｓｓ  Ｍｅｍｏｒｙ）２４と、ＲＯＭ（Ｒｅａｄ  Ｏｎｌｙ  Ｍｅｍｏｒｙ）２５と、ＣＰＵ（Ｃｅｎｔｒａｌ  Ｐｒｏｃｅｓｓｉｎｇ  Ｕｎｉｔ）２６と、インタフェース装置２７と、ＨＤＤ（Ｈａｒｄ  Ｄｉｓｋ  Ｄｒｉｖｅ）２８とを備える。ドライブ装置２３には記録媒体２９が接続される。
【００４５】
入力装置２１は、キーボード、マウス、ディスプレイ等で構成され、ユーザの様々な操作指示を受け付けるユーザインタフェースである。また、入力装置２１は、画像出力装置２０に各操作信号、各種データを入力する入力インタフェースである。入力装置２１は、例えば、タッチパネルや音声入力装置を入力装置２１とすることもできる。
【００４６】
表示装置２２は、プログラムによるＧＵＩ（Ｇｒａｐｈｉｃａｌ  Ｕｓｅｒ  Ｉｎｔｅｒｆａｃｅ）等を表示する。表示装置２２は、例えば、画像などを表示するディスプレイなどを含み、画像出力装置２０による処理結果などを表示する。ディスプレイは、例えば、液晶や有機ＥＬなどのＦＰＤ（Ｆｌａｔ  Ｐａｎｅｌ  Ｄｉｓｐｌａｙ）である。
【００４７】
ドライブ装置２３は、着脱可能な記録媒体２９とのインタフェースである。画像出力装置２０は、ドライブ装置２３を介して、記録媒体２９の読み取り及び／又は書き込みを行うことができる。記録媒体２９には、例えば、フロッピー（登録商標）ディスク、フレキシブルディスク（ＦＤ）、ＣＤ（Ｃｏｍｐａｃｔ  Ｄｉｓｋ）、ＣＤ−ＲＯＭ、ＣＤ−Ｒ、ＤＶＤ（Ｄｉｇｉｔａｌ  Ｖｅｒｓａｔｉｌｅ  Ｄｉｓｋ）、ＳＤメモリカード（ＳＤ  ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）などがある。
【００４８】
ＲＡＭ２４は、各種プログラムやデータを一時記憶する揮発性の半導体メモリ（記憶装置）である。また、ＲＡＭ２４は、ＣＰＵ２６がデータ処理時に使用するメモリでもある。なお、ＲＡＭ２４の代わりに、ＳＤＲＡＭ、ＤＲＡＭ、ＳＲＡＭなどを使用してもよい。
【００４９】
ＲＯＭ２５は、電源を切っても内部データを保持することができる不揮発性の半導体メモリ（記憶装置）である。ＲＯＭ２５には、画像出力装置２０の起動時に実行されるＢＩＯＳ（Ｂａｓｉｃ  Ｉｎｐｕｔ／Ｏｕｔｐｕｔ  Ｓｙｓｔｅｍ）、情報処理システム設定、及びネットワーク設定などのプログラムやデータが格納されている。また、ＲＯＭ２５は、各種不揮発性を必要とするデータ（機種機番、ＩＰアドレスなど）を記憶するメモリである。
【００５０】
ＣＰＵ２６は、画像出力装置２０の動作を統括的に制御する。ＣＰＵ２６は、ＲＯＭ２５やＨＤＤ２８に格納されたプログラムやデータをＲＡＭ（メモリ）２４上に読み出し、処理を実行することで、画像出力装置２０全体の動作を制御する。また、ＣＰＵ２６は、各種機能を実現する。また、ＣＰＵ２６は、ＲＡＭ２４、ＲＯＭ２５及びＨＤＤ２８のプログラムに基づいてデータ演算を行い、画像出力装置２０の各部を制御して画像出力装置２０としての処理を実行する。
【００５１】
インタフェース装置２７は、外部装置に接続するためのインタフェースである。また、インタフェース装置２７は、外部装置（画像表示装置１０）と通信するためのインタフェースである。これにより、画像出力装置２０は、インタフェース装置２７を介して、画像表示装置１０とデータ通信を行う。
【００５２】
ＨＤＤ２８は、画像出力装置２０で実行される各種のプログラムやデータを格納する不揮発性の記憶装置である。また、ＨＤＤ２８は、画像出力装置２０の各種機能を実現するために必要なプログラムやデータ等を格納する。格納されるプログラムやデータには、画像出力装置２０全体を制御する情報処理システム（例えば「Ｗｉｎｄｏｗｓ（登録商標）」や「ＵＮＩＸ（登録商標）」などの基本ソフトウェアであるＯＳ（Ｏｐｅｒａｔｉｎｇ  Ｓｙｓｔｅｍ））、及びシステム上において各種機能を提供するアプリケーションなどがある。また、ＨＤＤ２８は、格納しているプログラムやデータを、所定のファイルシステム及び／又はＤＢ（Ｄａｔａ  Ｂａｓｅ）により管理している。
【００５３】
なお、上記の画像出力装置（情報処理装置）２０用プログラムは、インストール可能な形式又は実行可能な形式のファイルで、記録メディア等のコンピュータで読み取り可能な記録媒体に記録して流通させるようにしてもよい。
【００５４】
次に、図６を用いて、本実施形態の画像表示装置１０及び画像出力装置２０の機能について説明する。図６は、本実施形態に係る画像表示装置及び画像出力装置の機能的構成の一例を示すブロック図である。
【００５５】
まず、画像表示装置１０の機能構成の一例について説明する。図６に示すように、画像表示装置１０は、光源部１２１と、画像入力部１２２と、画像処理部１２３と、画像出力部１２４と、角度制御部１２５と、階調制御部１２６と、信号制御部１２７と、信号記憶部１２８と、電力制御部１２９と、受付部１３０と、判断部１３１と、切替部１３２と、計測部１３３と、制御部１３４とを有する。上記各部については、これらの一部又は全部がソフトウェア（プログラム）、ハードウェア回路であってもよい。また、上記各部のうちの一部が画像表示装置１０に搭載される形態であってもよい。
【００５６】
光源部１２１は、画像処理部１２３で画像データを変換した投影用の投影データを投影面４０に投影するための光を生成する。
【００５７】
画像入力部１２２は、外部から画像データの入力を受け付ける。具体的には、画像入力部１２２は、例えば、外部の画像出力装置（情報処理装置）２０から投影面４０に投影する画像の画像データの入力を受け付ける。なお、画像入力部１２２の機能は「Ｉ／Ｆ１０１」が有する構成であるが、これに限ることはなく任意である。
【００５８】
画像処理部１２３は、時系列に入力された画像データを投影用の投影データに変換する処理を行う。具体的には、画像処理部１２３は、例えば、外部装置からＩ／Ｆ１０１を介して時系列に入力された（受け付けた）画像データに対して、角度制御部１２５、階調制御部１２６及び信号制御部１２７が適切に扱えるよう各種処理を行う。画像処理部１２３は、入力された画像データに対して各種処理を行った後、この処理後の画像データ（投影データ）１１及び制御信号１２を角度制御部１２５、階調制御部１２６及びフレームメモリ１０５に対して出力する。
【００５９】
画像出力部１２４は、光源部１２１からの光を投影データに応じた画像となるように投影面４０に出力する。画像出力部１２４は、信号制御部１２７からの制御信号に基づいて、投影用ミラーデバイス１０９、１１０、１１１のミラー角度の制御、及び階調の制御を行うことで、光源部１２１からの光を投影データに応じた画像として出力する。なお、画像出力部１２４は、投影用ミラーデバイスに対応する。
【００６０】
角度制御部１２５は、投影データに対応する画像として表示するために信号制御部１２７からの制御信号に基づいて、投影用ミラーデバイス１０９、１１０、１１１のミラー角度の制御を行う。
【００６１】
階調制御部１２６は、画像出力部１２４の階調の制御を行う。具体的には、階調制御部１２６は、信号制御部１２７から出力された階調を制御する制御信号に基づいて、投影用ミラーデバイス１０９、１１０、１１１の各マイクロミラーによる反射光量（階調）の制御を行う。すなわち、階調制御部１２６は、入力された制御信号に基づいて、画像処理部１２３で画像処理された投影データが画像として投影されるように投影用ミラーデバイス１０９、１１０、１１１での階調の制御を行う。また、階調制御部１２６は、例えば、投影用ミラーデバイスのＯＮ／ＯＦＦの時間的間隔によって階調の制御を行う。
【００６２】
信号制御部１２７は、角度制御部１２５及び階調制御部１２６を制御するための制御信号を出力する。すなわち、信号制御部１２７は、投影用ミラーデバイス１０９、１１０、１１１の各マイクロミラーによる反射光量（階調）及び投影用ミラーデバイス１０９、１１０、１１１の各マイクロミラーの角度を制御するための制御信号を、角度制御部１２５、及び階調制御部１２６に対して出力する。信号制御部１２７は、フレームメモリ１０５が記憶している画像データ（投影データ）を読み込んで、投影用ミラーデバイス１０９、１１０、１１１の角度を制御する制御信号１１８、及び投影用ミラーデバイス１０９、１１０、１１１の階調を制御する制御信号１１９を生成して出力する。
【００６３】
信号記憶部１２８は、画像に対応した制御信号を記憶する。具体的には、信号記憶部１２８は、光源部１２１からの光を投影データ（画像データ）に応じた画像となるように投影面４０に出力するために投影用ミラーデバイス１０９、１１０、１１１の階調を制御する制御信号を、予め定めた一定周期分を記憶する。すなわち、信号記憶部１２８は、画像データのうち入力された第１画像データより前に入力された第２画像データに対応した画像となるように投影面４０に出力するために投影用ミラーデバイス１０９、１１０、１１１の階調を制御する制御信号を記憶する。なお、信号記憶部１２８は、時系列に入力された画像データに対応した階調を制御する一定期間の制御信号を記憶する。なお、一定期間とは表示する画像情報に対応した期間であり任意である。
【００６４】
電力制御部１２９は、判断部１３１で、入力された第１画像データと第１画像データより前に入力された第２画像データとが同じであると判断された場合、光源部１２１と画像出力部１２４と階調制御部１２６と信号記憶部１２８とに対して電力を供給し、入力された第１画像データと第１画像データより前に入力された第２画像データとが同じでないと判断された場合、画像表示装置１０各部に対して電力を供給する。
【００６５】
また、電力制御部１２９は、判断部１３１で、入力された第１画像データと第１画像データより前に入力された第２画像データとが同じであると判断された場合、光源部１２１、画像出力部１２４、階調制御部１２６及び信号記憶部１２８を除いた画像表示装置１０各部に対して電力の供給を遮断する。
【００６６】
また、電力制御部１２９は、判断部１３１で、入力された第１画像データと第１画像データより前に入力された第２画像データとが同じであると判断された場合であって、計測部１３３で計測した経過時間が予め設定された所定時間経過した後に、電力の供給を遮断した画像表示装置１０各部に対して電力の供給を行う。
【００６７】
また、電力制御部１２９は、判断部１３１で、現在表示されている画像を継続して表示させる継続信号の入力があったと判断された場合、光源部１２１と画像出力部１２４と階調制御部１２６と信号記憶部１２８とに対して電力を供給すると共に、光源部１２１、画像出力部１２４、階調制御部１２６及び信号記憶部１２８を除いた画像表示装置１０各部に対して電力の供給を遮断し、継続信号の入力がないと判断された場合、画像表示装置１０各部に対して電力を供給する。
【００６８】
受付部１３０は、外部装置（例えば、画像出力装置２０）が出力する第１画像データと第１画像データより前に出力された第２画像データとが同じである場合、外部から現在表示されている画像を継続して表示させる継続信号の入力を受け付ける。なお、受付部１３０の機能は「Ｉ／Ｆ１０１」が有する構成であるが、これに限ることはなく任意である。
【００６９】
判断部１３１は、時系列に入力された画像データのうち、入力された第１画像データと第１画像データより前に入力された第２画像データとが同じであるか否かを判断する。
【００７０】
また、判断部１３１は、計測部１３３で計測した経過時間が予め設定された所定時間経過した後に、電力制御部１２９が電力の供給を遮断した画像表示装置１０各部に対して電力の供給を行った場合、入力された第１画像データと第１画像データより前に入力された第２画像データとが同じであるか否かを、再度判断する。なお、判断部１３１が所定時間経過後に再度判断するのは計測部１３３からの信号により制御される。
【００７１】
また、判断部１３１は、受付部１３０で現在表示されている画像を継続して表示させる継続信号の入力があったか否かを判断する。
【００７２】
判断部１３１は、上記の判断した結果の信号を電力制御部１２９、切替部１３２、計測部１３３に対して出力して受け渡す。なお、判断部１３１の機能は「画像処理回路１０２」が有する構成であるが、これに限ることはなく任意である。
【００７３】
切替部１３２は、判断部１３１で、入力された第１画像データと第１画像データより前に入力された第２画像データとが同じであると判断された場合、信号記憶部１２８で記憶された第２画像データに対応する制御信号を信号記憶部１２８から読み出して階調制御部１２６に入力し、入力された第１画像データと第１画像データより前に入力された第２画像データとが同じでないと判断された場合、信号制御部１２７から出力された制御信号を階調制御部１２６に入力する。なお、切替部１３２は、上述したように判断部１３１からの信号により制御される。
【００７４】
また、切替部１３２は、判断部１３１で、現在表示されている画像を継続して表示させる継続信号の入力があったと判断した場合、信号記憶部１２８で記憶された第２画像データに対応する制御信号を信号記憶部１２８から読み出して階調制御部１２６に入力し、継続信号の入力がないと判断された場合、信号制御部１２７から出力された制御信号を階調制御部１２６に入力する。なお、切替部１３２の機能は「階調制御回路１１５」が有する構成であるが、これに限ることはなく任意である。
【００７５】
計測部１３３は、時間を計測する。具体的には、計測部１３３は、判断部１３１で、入力された第１画像データと第１画像データより前に入力された第２画像データとが同じであると判断された場合、経過時間の計測を開始し、計測した経過時間が予め設定された所定時間経過した後に電力制御部１２９に対して時間が経過した旨を通知する。なお、計測部１３３の機能は「電力制御回路１１２」が有する構成であるが、これに限ることはなく任意である。
【００７６】
制御部１３４は、画像表示装置１０の全体を制御する。また、制御部１３４は、上記の各機能部の処理を統括的に制御する。
【００７７】
次に、図６及び図７を用いて、画像出力装置２０の機能構成の一例について説明する。図７は、画像出力装置の機能構成の一例について説明する図である。図６及び図７に示すように、画像出力装置２０は、画像データ出力部２０１と、継続信号出力部２０２と、出力切替部２０３と、制御部２０４とを有する。上記各部については、これらの一部又は全部がソフトウェア（プログラム）、ハードウェア回路であってもよい。また、上記各部のうちの一部が画像出力装置２０に搭載される形態であってもよい。
【００７８】
図７に示すように、本実施形態の画像出力装置２０は、画像データ出力部２０１から出力される画像データと、継続信号出力部２０２から出力される現在表示されている画像を継続して表示させる継続信号と、を出力切替部２０３で切り替えて映像ケーブル３０を介して画像表示装置１０に対して出力する構成である。
【００７９】
画像データ出力部２０１は、画像表示装置１０に対して投影面４０に投影する画像データを時系列に出力する。また、画像データ出力部２０１は、画像データを画像出力装置（情報処理装置）２０の表示装置（ディスプレイ）２２に出力する。
【００８０】
継続信号出力部２０２は、画像データ出力部２０１で出力する第１画像データと第１画像データより前に出力された第２画像データとが同じである場合、現在表示されている画像を継続して表示させる継続信号を画像表示装置１０に対して出力する。
【００８１】
出力切替部２０３は、投影面４０に表示する画像データと、現在表示されている画像を継続して表示させる継続信号とを切り替えて出力する。具体的には、出力切替部２０３は、画像データ出力部２０１で出力する第１画像データと第１画像データより前に出力された第２画像データとが異なる場合（例えば、動画画像など）、投影面４０に表示する画像データを画像表示装置１０に対して出力する。すなわち、出力切替部２０３は、画像データ出力部２０１で出力する画像データに切り替えて出力する。また、出力切替部２０３は、画像データ出力部２０１で出力する第１画像データと第１画像データより前に出力された第２画像データとが同じである場合（例えば、静止画像など）、現在表示されている画像を継続して表示させるための継続信号を画像表示装置１０に対して出力する。すなわち、出力切替部２０３は、継続信号出力部２０２で出力する継続信号に切り替えて出力する。なお、この時には画像データは出力されないことになる。
【００８２】
制御部２０４は、画像出力装置（情報処理装置）２０の全体を制御する。また、制御部２０４は、上記の各機能部の処理を統括的に制御する。
【００８３】
次に、本実施形態に係る画像表示装置１０の処理動作の一例について説明する。図８は、本実施形態に係る画像表示装置の処理動作の一例を示すフローチャート図である。
【００８４】
画像表示装置１０は、画像出力装置２０から時系列に入力された第１画像データと第１画像データより前に入力された第２画像データとが同じであるか否かを判断する（ステップＳ１）。画像データが同じでない場合（ステップＳ１：Ｎｏ）、画像表示装置１０は、フレームメモリ１０５に記憶されている画像データを読み込んで（ステップＳ２）、読み込んだ画像データを投影用の投影データに変換する。
【００８５】
次に、画像表示装置１０は、信号パターン記憶回路１１６（信号記憶部１２８）がオフか否かを判断する（ステップＳ３）。すなわち、信号パターン記憶回路１１６に電力が供給されているか否かを判断する。信号パターン記憶回路１１６がオフの場合（ステップＳ３：Ｙｅｓ）、画像表示装置１０は、出力画像制御回路１０４（信号制御部１２７）から出力された制御信号に応じて、投影用ミラーデバイス１０９、１１０、１１１の制御を行う（ステップＳ４）。具体的には、画像表示装置１０は、出力画像制御回路１０４からの制御信号１１８に基づいて、投影用ミラーデバイス１０９、１１０、１１１の角度の制御を行うと共に、出力画像制御回路１０４からの制御信号１１９に基づいて、投影用ミラーデバイス１０９、１１０、１１１の各マイクロミラーによる反射光量（階調）の制御を行う。
【００８６】
信号パターン記憶回路１１６がオフでない場合（ステップＳ３：Ｎｏ）、画像表示装置１０は、信号パターン記憶回路１１６をオフにする（ステップＳ５）。具体的には、画像表示装置１０は、信号パターン記憶回路１１６に供給されている電力を遮断する制御を行う。
【００８７】
ステップＳ１に戻り、画像データが同じである場合（ステップＳ１：Ｙｅｓ）、画像表示装置１０は、信号パターン記憶回路１１６がオフか否かを判断する（ステップＳ６）。信号パターン記憶回路１１６がオフでない場合（ステップＳ６：Ｎｏ）、ステップＳ８に移行して処理を継続する。
【００８８】
信号パターン記憶回路１１６がオフの場合（ステップＳ６：Ｙｅｓ）、画像表示装置１０は、信号パターン記憶回路１１６をオンにする制御を行う（ステップＳ７）。すなわち、画像表示装置１０は、信号パターン記憶回路１１６に電力を供給する制御を行う。
【００８９】
次に、画像表示装置１０は、同じ画像の表示に不要な画像表示装置１０各部への電力の供給をオフにする（ステップＳ８）。具体的には、画像表示装置１０は、光源部１２１と画像出力部１２４と階調制御部１２６と信号記憶部１２８とに対して電力を供給すると共に、光源部１２１、画像出力部１２４、階調制御部１２６及び信号記憶部１２８を除いた画像表示装置１０各部に対して電力の供給を遮断する。すなわち、光源１４１、投影用ミラーデバイス１０９、１１０、１１１、階調制御回路１１５及び信号パターン記憶回路１１６に対して電力を供給すると共に、光源１４１、投影用ミラーデバイス１０９、１１０、１１１、階調制御回路１１５及び信号パターン記憶回路１１６を除いた画像表示装置１０各部に対して電力の供給を遮断する。
【００９０】
次に、画像表示装置１０は、ステップＳ１で画像データが同じであると判断されたので、経過時間の計測を開始する（ステップＳ９）。次に、画像表示装置１０は、計測した経過時間が予め設定された所定時間経過したか否かを判断する（ステップＳ１０）。所定時間経過していない場合（ステップＳ１０：Ｎｏ）、ステップＳ１０の判断処理を繰り返す。所定時間経過している場合（ステップＳ１０：Ｙｅｓ）、画像表示装置１０は、同じ画像の表示に不要な画像表示装置１０各部への電力の供給をオンにする（ステップＳ１１）。具体的には、ステップＳ８で電力の供給を遮断した画像表示装置１０各部に対して電力の供給を行う。すなわち、画像表示装置１０は、光源部１２１と画像出力部１２４と階調制御部１２６と信号記憶部１２８とに対して電力を供給すると共に、光源部１２１、画像出力部１２４、階調制御部１２６及び信号記憶部１２８を除いた画像表示装置１０各部に対しても電力の供給を行う。
【００９１】
次に、ステップＳ１に戻り、処理を継続する。
【００９２】
このように、上述した処理動作を、本実施形態の画像表示装置１０に実行させる。これにより、本実施形態の画像表示装置１０は、同じ画像を表示し続ける場合に、消費電力を低減することができる、という有利な効果を達成できる。
【００９３】
以上、本発明の実施形態を説明したが、上述の実施形態は、一例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。また、以上の実施形態および変形例は任意に組み合わせることも可能である。
【００９４】
なお、上述の実施形態は本発明の範囲を限定するものではなく、画像出力装置２０が上述の各部の機能を備えてもよいし、外部装置（例えば、画像出力装置（情報処理装置）２０、サーバ装置など）が上述の各部の機能を備えてもよい。例えば、上述の画像処理部１２３、角度制御部１２５、階調制御部１２６、信号制御部１２７、信号記憶部１２８、電力制御部１２９、判断部１３１、切替部１３２及び計測部１３３は、画像表示装置１０及び画像出力装置２０の各々に分散されて搭載される形態であってもよい。また、例えば、上述の画像処理部１２３、角度制御部１２５、階調制御部１２６、信号制御部１２７、信号記憶部１２８、電力制御部１２９、判断部１３１、切替部１３２及び計測部１３３は、画像表示装置１０、画像出力装置２０、及び１以上の外部装置（例えば、サーバ装置）の各々に分散されて搭載される形態であってもよい。また、システムを構成するサーバは複数台でもよく、どのサーバに機能を備えさせてもよい。
【００９５】
なお、本実施形態の画像表示装置１０と画像出力装置２０とが接続されたシステム構成は一例であり、用途や目的に応じて様々なシステム構成例があることは言うまでもない。
【００９６】
なお、上述の実施形態の画像表示装置１０、画像出力装置（情報処理装置）２０で実行される制御プログラムは、インストール可能な形式または実行可能な形式のファイルで、例えばフロッピー（登録商標）ディスク、フレキシブルディスク（ＦＤ）、ＣＤ（Ｃｏｍｐａｃｔ  Ｄｉｓｋ）、ＣＤ−ＲＯＭ、ＣＤ−Ｒ、ＤＶＤ（Ｄｉｇｉｔａｌ  Ｖｅｒｓａｔｉｌｅ  Ｄｉｓｋ）、ＳＤメモリカード（ＳＤ  ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）等のコンピュータで読み取り可能な記録媒体に記録して提供するように構成してもよいし、インターネット等のネットワークに接続されたコンピュータ上に格納し、ネットワーク経由で提供または配布するように構成してもよい。また、各種プログラムを、ＲＯＭ等に予め組み込んで提供するように構成してもよい。
【符号の説明】
【００９７】
１  画像表示システム
１０  画像表示装置
１１  画像データ（投影データ）
１２  制御信号
１３、１４、１５  出力制御部
２０  画像出力装置（情報処理装置）
２１  入力装置
２２  表示装置
２３  ドライブ装置
２４  ＲＡＭ
２５  ＲＯＭ
２６  ＣＰＵ
２７  インタフェース装置
２８  ＨＤＤ
２９  記録媒体
３０  映像ケーブル
４０  投影面（スクリーン）
５０  システムバス
１０１  Ｉ／Ｆ
１０２  画像処理回路
１０３  メモリ
１０４  出力画像制御回路
１０５  フレームメモリ
１０６、１０７、１０８  ミラーデバイス制御部
１０９、１０９ａ〜１０９ｄ  投影用ミラーデバイス（Ｒ）
１１０  投影用ミラーデバイス（Ｇ）
１１１  投影用ミラーデバイス（Ｂ）
１１２  電力制御回路
１１３  スイッチ（切替部）
１１５、１１５ａ〜１１５ｄ  階調制御回路
１１６、１１６ａ〜１１６ｄ  信号パターン記憶回路
１１７  角度制御回路
１１８、１１９  制御信号
１２１  光源部
１２２  画像入力部
１２３  画像処理部
１２４  画像出力部
１２５  角度制御部
１２６  階調制御部
１２７  信号制御部
１２８  信号記憶部
１２９  電力制御部
１３０  受付部
１３１  判断部
１３２  切替部
１３３  計測部
１３４  制御部
１４１  光源
１４２、１４３  プリズム
１４４  投影用レンズ
２０１  画像出力部
２０２  継続信号出力部
２０３  出力切替部
２０４  制御部
【先行技術文献】
【特許文献】
【００９８】
【特許文献１】特開２００７−２９３０５３号公報
【図１】
2016053683.tif 000003
【図２】
2016053683.tif 000004
【図３】
2016053683.tif 000005
【図４】
2016053683.tif 000006
【図５】
2016053683.tif 000007
【図６】
2016053683.tif 000008
【図７】
2016053683.tif 000009
【図８】
2016053683.tif 000010